(57)【要約】【課題】エレベーターが停止して動かせない状況において、昇降路の機器の状態を保守員が効率的よく迅速に点検できるようにするエレベーター用点検装置、エレベーター用点検システム、その制御方法及び端末装置を提案する。【解決手段】エレベーターの乗りかごが停止した際に、エレベーターの昇降路内を点検するためのエレベーター用点検装置において、乗りかごの停止階及び各階の階高情報に基づいて、昇降路内の点検対象とする第１の高さ位置を演算する演算部と、撮像装置が搭載されて昇降路内を上下方向に飛行する飛行体を制御するコントローラであって、演算部から取得した当該第１の高さ位置に基づいて、第１の高さ位置まで移動するよう飛行体を制御し、撮像装置により撮影した画像を取得するコントローラとを備えるようにした。【選択図】図２
2018144981.tif 000002
【特許請求の範囲】
【請求項１】
エレベーターの乗りかごが停止した際に、エレベーターの昇降路内を点検するためのエレベーター用点検装置であって、
前記乗りかごの停止階及び各階の階高情報に基づいて、前記昇降路内の点検対象とする第１の高さ位置を演算する演算部と、
撮像装置が搭載されて前記昇降路内を上下方向に飛行する飛行体を制御するコントローラであって、前記演算部から取得した当該第１の高さ位置に基づいて、前記第１の高さ位置まで移動するよう前記飛行体を制御し、前記撮像装置により撮影した画像を取得する前記コントローラと
を備えることを特徴とするエレベーター用点検装置。
【請求項２】
エレベーターの乗りかごが停止した際に、当該エレベーターの昇降路内を点検するためのエレベーター用点検システムであって、
撮像装置が搭載され、前記昇降路内を上下方向に飛行するエレベーター用点検装置と、
保守員が携帯する端末装置と、
前記乗りかごの停止階及び各階の階高情報を前記端末装置に送信するエレベーター制御装置と
を備え、
前記端末装置は、
取得した前記停止階及び前記階高情報に基づいて、前記昇降路内の点検対象とする第１の高さ位置を算出し、算出した前記第１の高さ位置を前記エレベーター用点検装置に通知し、
前記エレベーター用点検装置は、
前記昇降路内を前記端末装置から通知された前記第１の高さ位置にまで飛行して撮影した画像を前記端末装置に送信し、
前記端末装置は、
前記エレベーター用点検装置から受信する前記画像を表示する
ことを特徴とするエレベーター用点検システム。
【請求項３】
前記エレベーター用点検装置は、
プロペラと、
前記プロペラを回転駆動するモータと、
前記モータを制御するコントローラと
を備え、
前記コントローラは、
前記端末装置から通知された前記昇降路内の前記第１の高さ位置の上下方向の所定範囲内の高さ位置における前記エレベーター用点検装置の上昇速度が、当該所定範囲に到達するまでの上昇速度よりも遅くなるよう前記モータを制御する
ことを特徴とする請求項２に記載のエレベーター用点検システム。
【請求項４】
前記コントローラは、
前記昇降路内の前記第１の高さ位置の上下の前記所定範囲内の高さ位置において、撮像映像の解像度を、当該所定範囲に到達するまでの撮像映像の解像度よりも上げるように前記撮像装置を制御する
ことを特徴とする請求項３に記載のエレベーター用点検システム。
【請求項５】
前記端末装置は、
前記第１の高さ位置に基づいて、前記エレベーター用点検装置を前記昇降路内に投入すべき階を判定して、前記投入すべき階を前記保守員に表示する
ことを特徴とする請求項２に記載のエレベーター用点検システム。
【請求項６】
エレベーターの乗りかごが停止した状態で、当該エレベーターの昇降路内の状況を保守員が点検するために使用するエレベーター用点検システムの制御方法であって、
前記エレベーター用点検システムは、
撮像装置が搭載され、前記昇降路内を上下方向に飛行するエレベーター用点検装置と、
前記保守員が操作する端末装置と
を有し、
前記端末装置が、前記乗りかごの停止階及び各階の階高情報を取得する第1のステップと、
前記端末装置が、取得した前記停止階及び前記階高情報に基づいて、前記昇降路内の優先的に点検すべき第１の高さ位置を算出する第２のステップと、
前記端末装置が、算出した前記第１の高さ位置を前記エレベーター用点検装置に通知する第３のステップと、
前記エレベーター用点検装置が、前記昇降路内を前記端末装置から通知された前記第１の高さ位置にまで飛行し、少なくとも前記昇降路内における当該第１の高さ位置の状況を前記撮像装置により撮影する第４のステップと、
前記エレベーター用点検装置が、当該撮影により得られた映像データを前記端末装置に送信する第５のステップと、
前記端末装置が、前記エレベーター用点検装置から送信されてきた前記映像データに基づく前記撮像装置の撮像映像を表示する第６のステップと
を備えることを特徴とするエレベーター用点検システムの制御方法。
【請求項７】
エレベーターの乗りかごが停止した状態で、当該エレベーターの昇降路内の状況を保守員が点検するために使用するエレベーター用点検システムを構成する端末装置であって、
プログラムを記憶するメモリと、
前記メモリに格納された前記プログラムを実行するプロセッサと、
情報を表示するディスプレイと
を備え、
前記プロセッサは、
前記メモリに格納された前記プログラムに基づいて、
前記乗りかごの停止階及び各階の階高情報を取得し、
取得した前記停止階及び前記階高情報に基づいて、前記昇降路内の優先的に点検すべき第１の高さ位置を算出し、
算出した前記第１の高さ位置を、前記昇降路内を撮像しながら上下方向に飛行するエレベーター用点検装置に通知し、
当該通知に応じて前記昇降路内を前記第１の高さ位置にまで上昇する前記エレベーター用点検装置から送信されてくる映像データに基づく撮像映像を前記ディスプレイに表示させる
ことを特徴とする端末装置。
【発明の詳細な説明】
【技術分野】
【０００１】
本発明は、エレベーター用点検装置、エレベーター用点検システム、その制御方法及び端末装置に関し、例えば、エレベーターの乗りかごを動かせない状態において、昇降路内の機器の状況を撮像して保守員に表示することで保守員が点検するエレベーター用点検システムに適用して好適なものである。
【背景技術】
【０００２】
一般に、エレベーターには、地震の揺れを感知した場合に乗りかごの昇降運転を停止させる地震時管制運転装置が設置されている。この地震時管制運転装置は、機械室や塔内に設置された地震計が一定の揺れを感知した場合に、乗りかごを最寄りの階で停止させ、乗りかごのドアを開放して停止階に利用者を非難させることで利用者の安全を確保するものである。
【０００３】
地震時管制運転装置が感知する地震動は、初期微動と主要動とがある。地震時管制運転装置は、初期微動のみ感知した場合には、一定時間経過後に自動で乗りかごの昇降運転を復旧させるのに対して、強い揺れの主要動を感知した場合には、乗りかごの昇降運転を停止後、現地で専門技術を持つ保守員による復旧のための点検がなされるまで乗りかごの昇降運転を復旧させない。
【０００４】
このため地震時管制運転装置が主要動を感知した場合、保守員は、現地に赴いて昇降路内の機器の損傷や被害の有無を目視で確認しなければならない。この場合、保守員は、特に、主ロープの引っ掛かりの有無や、テールコードの引っ掛かりの有無、ガイドレールの傾きの有無、ガイドレールから乗りかごが外れていないか等、乗りかごの昇降運転が正常にできない被害がないかを点検する必要がある。しかしながらこのような点検には相応の時間を必要とし、特に昇降路の長い高層エレベーターの場合には確認作業に多大な時間を要する。
【０００５】
このような状況のもと、近年では、エレベーターの乗りかごを動かせない状態において、昇降路内の機器の状況を保守員が点検する際に使用するエレベーター用点検装置の研究開発も広く行われ、昇降路内の機器の状況を保守員が点検する際に使用するエレベーター用点検装置が実用化されている。例えば特許文献１には、この種のエレベーター用点検装置の１つとして、昇降路内の機器の状況を保守員が確認するために、昇降路内の障害物を避けながら昇降し昇降路内の機器を撮影する発明が開示されている。
【先行技術文献】
【特許文献】
【０００６】
【特許文献１】特開２０１５−３０６０４号公報
【発明の概要】
【発明が解決しようとする課題】
【０００７】
ところで、高層ビルに設置されたエレベーターの地震時管制運転装置が強い揺れの主要動を感知し、エレベーターが昇降運転を停止した場合、高層階の居住者が移動手段を失い、高層階に取り残される可能性がある。このため保守員は、早急に点検を行い、乗りかごの昇降運転を復旧させる必要がある。しかしながら高層ビルに設置された昇降路が長いエレベーターにおいては保守員が昇降路を移動しながら目視で確認すると時間がかかってしまう。
【０００８】
上述した特許文献１に係る技術によれば、乗りかごの昇降運転の復旧のための点検作業を行う際、保守員は、前述したエレベーター用点検装置を昇降路内に投入して、次にエレベーター用点検装置と昇降路内の機器との距離を距離測定手段で把握し、障害物を回避しながら飛行手段で上昇移動させながら、撮像手段で撮像した昇降路内の機器を確認することで、機器の状況を確認することができる。
【０００９】
このような状況において、保守員は、効率的に点検をするために、ロープが引っ掛かったり、ロープとの衝突により機器が損傷したりしやすい位置を推測しながら、昇降路内の点検をする必要がある。昇降路が長ければ長いほど、推測が間違っていた場合の時間のロスが多くなり、復旧の速度が保守員の個々の力量により依存しやすくなってしまうという問題があった。
【００１０】
本発明は、以上の点を考慮してなされたもので、エレベーターが停止して動かせない状況において、昇降路内の機器の状態を保守員が効率的よく迅速に点検できるようにするエレベーター用点検装置、エレベーター用点検システム、その制御方法及び端末装置を提案しようとするものである。
【課題を解決するための手段】
【００１１】
かかる課題を解決するため本発明においては、エレベーターの乗りかごが停止した際に、エレベーターの昇降路内を点検するためのエレベーター用点検装置において、乗りかごの停止階及び各階の階高情報に基づいて、昇降路内の点検対象とする第１の高さ位置を演算する演算部と、撮像装置が搭載されて昇降路内を上下方向に飛行する飛行体を制御するコントローラであって、演算部から取得した当該第１の高さ位置に基づいて、第１の高さ位置まで移動するよう飛行体を制御し、撮像装置により撮影した画像を取得するコントローラとを備えるようにした。
【００１２】
また本発明においては、エレベーターの乗りかごが停止した際に、当該エレベーターの昇降路内の状況を保守員が点検するために使用するエレベーター用点検システムにおいて、撮像装置が搭載され、昇降路内を上下方向に飛行するエレベーター用点検装置と、保守員が携帯する端末装置と、乗りかごの停止階及び各階の階高情報を端末装置に送信するエレベーター制御装置とを備え、端末装置は、取得した停止階及び階高情報に基づいて、昇降路内の点検対象とする第１の高さ位置を算出し、算出した第１の高さ位置をエレベーター用点検装置に通知し、エレベーター用点検装置は、昇降路内を端末装置から通知された第１の高さ位置にまで飛行して撮影した画像を端末装置に送信し、端末装置は、エレベーター用点検装置から受信する画像を表示するようにした。
【００１３】
さらに本発明においては、エレベーターの乗りかごが停止した状態で、当該エレベーターの昇降路内の状況を保守員が点検するために使用するエレベーター用点検システムの制御方法において、エレベーター用点検システムは、撮像装置が搭載され、昇降路内を上下方向に飛行するエレベーター用点検装置と、保守員が操作する端末装置とを有し、端末装置が、乗りかごの停止階及び各階の階高情報を取得する第1のステップと、端末装置が、取得した停止階及び階高情報に基づいて、昇降路内の優先的に点検すべき第１の高さ位置を算出する第２のステップと、端末装置が、算出した第１の高さ位置をエレベーター用点検装置に通知する第３のステップと、エレベーター用点検装置が、昇降路内を端末装置から通知された第１の高さ位置にまで飛行し、少なくとも昇降路内における当該第１の高さ位置の状況を撮像装置により撮影する第４のステップと、エレベーター用点検装置が、当該撮影により得られた映像データを端末装置に送信する第５のステップと、端末装置が、エレベーター用点検装置から送信されてきた映像データに基づく撮像装置の撮像映像を表示する第６のステップとを備えるようにした。
【００１４】
さらに本発明においては、エレベーターの乗りかごが停止した状態で、当該エレベーターの昇降路内の状況を保守員が点検するために使用するエレベーター用点検システムを構成する端末装置において、プログラムを記憶するメモリと、メモリに格納されたプログラムを実行するプロセッサと、情報を表示するディスプレイとを備え、プロセッサは、メモリに格納されたプログラムに基づいて、乗りかごの停止階及び各階の階高情報を取得し、取得した停止階及び階高情報に基づいて、昇降路内の優先的に点検すべき第１の高さ位置を算出し、算出した第１の高さ位置を、昇降路内を撮像しながら上下方向に飛行するエレベーター用点検装置に通知し、当該通知に応じて昇降路内を第１の高さ位置にまで上昇するエレベーター用点検装置から送信されてくる映像データに基づく撮像映像をディスプレイに表示させるようにした。
【発明の効果】
【００１５】
本発明によれば、エレベーターが停止して動かせない状況において、昇降路内の機器の状態を保守員が効率的よく迅速に点検できるようにするエレベーター用点検装置、エレベーター用点検システム、その制御方法及び端末装置を実現できる。
【図面の簡単な説明】
【００１６】
【図１】本実施の形態によるエレベーター用点検システムを使用して保守員が点検するエレベーターの概略構造の要部を示した斜視図である。
【図２】本実施の形態による地震発生時のエレベーター及びエレベーター用点検システムを示す概念図である。
【図３】本実施の形態による端末装置の構成を示すブロック図である。
【図４】優先点検高さ位置決定機能の説明に供する概念図である。
【図５】優先点検高さ位置決定機能の説明に供する概念図である。
【図６】優先点検高さ位置決定処理の処理手順を示すフローチャートである。
【図７】昇降路内撮像処理の処理手順を示すフローチャートである。
【発明を実施するための形態】
【００１７】
以下図面について、本発明の一実施の形態を詳述する。
【００１８】
（１）本実施の形態によるエレベーター用点検システムの構成
図１は、一般的な１：１ローピング方式のエレベーター１の概略構造を示す。このエレベーター１は、建物に設置された昇降路２内において、各階床に設置された乗り場４の間を乗りかご３が昇降運転するものである。
【００１９】
エレベーター１は、巻上機１４に巻き付けられた主ロープ１３の一端側に取り付けられた乗りかご３と、当該主ロープ１３の他端側に取り付けられた釣合錘８とを備える。乗りかご３及び釣合錘８は、それぞれ昇降路２の壁に固定配置されたかご用ガイドレール７及び釣合錘用ガイドレール９に沿って昇降する。
【００２０】
巻上機１４は、乗りかご３を昇降駆動する昇降機構であり、昇降路２の上部に設けられた機械室６に、乗りかご３の昇降運転を制御するエレベーター制御装置（以下、これを制御盤１２と呼ぶ）及び図示しない調速ロープの一端が掛けられた調速機と共に設置される。リング状の調速ロープの他端は、昇降路２の下部に設けられたピット５内に配設された図示しない滑車に掛けられる。
【００２１】
各階の乗り場４に設けられた乗り場ドア１０は、乗りかご３に対する乗降口であり、乗りかご３が着床した場合に、乗りかご３のかごドア１１と係合して当該かごドア１１と一体に開閉する。なお専門技術を有した保守員は、所定の外部開放手段により乗り場ドア１０を開けて昇降路２内を点検することが可能であり、強い揺れの地震等により運行を停止したエレベーター１の復旧作業の際に、乗り場ドア１０を開けて昇降路２内に後述のエレベーター用点検装置２１を投入することができる。
【００２２】
図２は、地震により強い揺れが発生した結果、主ロープ１３の一部が昇降路２に引っ掛かった状態を示している。この図２において、３０はエレベーター１の点検のため保守員によって持ち込まれた本実施の形態によるエレベーター用点検システムを示す。このエレベーター用点検システム３０は、端末装置１５及びエレベーター用点検装置２１を備えて構成される。
【００２３】
端末装置１５は、例えばスマートフォンやタブレット等の通信端末装置から構成され、図３に示すように、ＣＰＵ１６、メモリ１７、通信装置１９及びディスプレイ２０を備えて構成される。ＣＰＵ１６は、端末装置１５全体の動作制御を司るプロセッサである。メモリ１７は、例えば揮発性の半導体メモリから構成され、ＣＰＵ１６のワークメモリとして利用される。後述のプログラム１８はこのメモリ１７に格納されて保持される。また通信装置１９は無線ＬＡＮ機器等であり、ディスプレイ２０は有機ＥＬ又は液晶パネル等から構成される。
【００２４】
この端末装置１５は、エレベーター１の制御盤１２の基板、又は、所定位置（例えば、各階の乗り場４に設置された乗りかご３の呼び釦の近傍）に配設された制御盤１２と接続されたコネクタを介して制御盤１２と通信を行い、当該制御盤１２が管理している乗りかご３の現在の停止階や、各階の床から１つ上の階の床までの高さを表す階高情報を取得する機能を備える。
【００２５】
また端末装置１５は、乗りかご３の停止階と各階の階高情報から、昇降路２内において主ロープ１３や図示しないテールコード等の長尺物が引っ掛かる可能性が高い昇降路２内の高さ位置、又は、揺れた長尺物と接触し損傷を受ける可能性が高い機器が設置された昇降路２内の高さ位置を「最も優先的に点検すべき高さ位置」（以下、これを優先点検高さ位置と呼ぶ）として算出し、算出結果をエレベーター用点検装置２１に通知する機能を備える。
【００２６】
なお優先点検高さ位置から例えば上下１ｍ程度の所定の範囲（以下、これを優先点検高さ範囲と呼ぶ）内については、優先点検高さ位置と同様に、昇降路２内において長尺物が引っ掛かる可能性や機器が設置されていた場合に揺れた長尺物と接触し機器が損傷を受ける可能性が高い。
【００２７】
さらに端末装置１５は、エレベーター用点検装置２１の動作を遠隔操作するためのリモートコントローラとしての機能と、後述のようにエレベーター用点検装置２１から送信されてくる映像データに基づく映像を表示するモニタとしての機能とを備える。
【００２８】
エレベーター用点検装置２１は、昇降路２内を上下に飛行する例えばドローン等の飛行体から構成される。エレベーター用点検装置２１には、プロペラ２２及び当該プロペラ２２を回転駆動する図示しないモータ（以下、これを飛行用モータと呼ぶ）と、昇降路２内を撮像するためのカメラ等の撮像装置２３と、気圧を測定する気圧計２４と、撮像装置２３の撮像映像の映像データを端末装置１５に無線送信する無線ＬＡＮ機器等の通信装置２５と、ＣＰＵ及びメモリ等の情報処理資源を備えるコントローラ２６とが搭載されている。
【００２９】
コントローラ２６は、エレベーター用点検装置２１全体の動作制御を司るコンピュータ装置である。例えば、コントローラ２６は、保守員の操作に応じて端末装置１５から送信される操縦信号に基づいて上述の飛行用モータの動作を制御することによりエレベーター用点検装置２１を昇降路２内で昇降させる。またコントローラ２６は、撮像装置２３に撮像を開始させたり、このとき撮像装置２３から出力される撮像映像の映像データを端末装置１５に送信するよう通信装置２５を制御したり、撮像映像の解像度を上げ又は下げるよう撮像装置２３を制御する。なお、撮像装置２３は、複数の画像群である映像ではなく、画像を撮像しても当然よいものとし、この場合、通信装置２５は画像を端末装置１５に送信し、端末装置１５は画像を表示する。
【００３０】
ここで、かかる優先点検高さ位置について、図４及び図５を参照して説明する。図４は、エレベーター１において、地震による強い揺れが発生した結果、昇降路２に異常が発生した一例として、昇降路２において、主ロープ１３が引っ掛かった状態を示す。
【００３１】
図４において、乗りかご３は、上層階で停止した状態、釣合錘８は、エレベーター１の構造上、下層階で停止した状態を示す。乗りかご３の現在の停止階及び各階の階高Ｈ１〜Ｈ７の情報（階高情報）は上述のように機械室６に設置された制御盤１２が管理しており、保守員が端末装置１５を制御盤１２と接続することにより、これらの情報を当該制御盤１２から端末装置１５に取り込ませることができる。
【００３２】
そして端末装置１５は、このようにして取得したこれらの情報から、巻上機１４から乗りかご３までの主ロープ１３の長さＬ１と、巻上機１４から釣合錘８までの主ロープ１３の長さＬ２とをそれぞれ算出する。例えば長さＬ１は階高Ｈ１とすることができる。また、長さＬ２の近似値を、階高Ｈ１〜Ｈ５を合計することで算出することができる。
【００３３】
また端末装置１５は、上述のようにして取得した乗りかご３の現在の停止階から、乗りかご３の現在の停止階が中間階より上であるか、又は、下であるかを判定する。この判定結果を用いることで、端末装置１５は、巻上機１４から乗りかご３までの主ロープ１３の長さＬ１と、巻上機１４から釣合錘８までの主ロープ１３の長さＬ２とのいずれが長いかを判定することができる。
【００３４】
長さＬ１及び長さＬ２の関係としては、図５（Ａ）〜図５（Ｃ）に示す３通りが考えられる。乗りかご３の停止階が中間階より下である場合、図５（Ａ）に示すように、長さＬ１が長さＬ２より小さい値となる。また乗りかご３の停止階が中間階より上である場合、図５（Ｂ）に示すように、長さＬ１が長さＬ２よりも大きい値となる。さらに乗りかご３の停止階が中間階である場合には、図５（Ｃ）に示すように、長さＬ１及び長さＬ２がほぼ等しい値となる。
【００３５】
ここで、主ロープ１３の長さが長い方が揺れによる振れ幅が大きいため、地震の揺れにより主ロープ１３が昇降路２の中で引っ掛かったり、主ロープ１３が昇降路２内の機器に衝突して当該機器を損傷させたりする可能性は、主ロープ１３の巻上機１４から乗りかご３までの部分と、巻上機１４から釣合錘８までの部分とのうち、長さが長い方が高い。また、主ロープ１３の巻上機１４から乗りかご３又は釣合錘８までの部分のうち、振れ幅が最も大きくなる可能性が高いのは当該部分の中間位置（主ロープ１３の巻上機１４から乗りかご３又は釣合錘８までの部分の中間位置）である。
【００３６】
そこで、端末装置１５は、昇降路２内の高さ位置であって、主ロープ１３の巻上機１４から乗りかご３までの部分と、巻上機１４から釣合錘８までの部分とのうちの長さが長い方の中間位置と同じ高さ位置を優先点検高さ位置と判定する。
【００３７】
例えば、図５（Ａ）においては、乗りかご３は中間階より下に停止しており、長さＬ１が長さＬ２より大きな値となる。また、主ロープ１３の長さＬ１側の振れ幅が最も大きくなる可能性が高いのは、主ロープ１３の長さＬ１側の中間位置Ａ１である。従って、この場合、端末装置１５は、昇降路２内における主ロープ１３の長さＬ１側の中間位置Ａ１と同じ高さ位置を優先点検高さ位置と判定する。
【００３８】
なお、この場合における最下階から主ロープ１３の中間位置Ａ１までの高さは、各階の階高Ｈ１〜Ｈ７の合計から、長さＬ１の中間位置Ａ１に相当する距離である昇降路２の天井からの距離（Ｌ１÷２）を差し引くことで算出することができる。
【００３９】
また図５（Ｂ）においては、乗りかご３は中間階より上に停止しており、長さＬ２が長さＬ１より大きな値となる。また、主ロープ１３の長さＬ２側の振れ幅が最も大きくなる可能性が高いのは、主ロープ１３の長さＬ２側の中間位置Ｂ１である。従って、この場合、端末装置１５は、昇降路２内における主ロープ１３の長さＬ２側の中間位置Ｂ１と同じ高さ位置を優先点検高さ位置と判定する。
【００４０】
この場合における最下階から主ロープ１３の中間位置Ｂ１までの高さは、各階の階高Ｈ１〜Ｈ７の合計から、長さＬ２の中間位置Ｂ１に相当する距離である昇降路２の天井からの距離（Ｌ２÷２）を差し引くことで算出することができる。
【００４１】
さらに図５（Ｃ）においては、乗りかご３は中間階に停止しており、長さＬ１及び長さＬ２がほぼ同じ値となる。また、主ロープ１３の長さＬ１側及び長さＬ２側の振れ幅が最も大きくなる可能性が高いのは、主ロープ１３の長さＬ１側及び長さＬ２側の中間位置Ｃ１である。従って、この場合、端末装置１５は、昇降路２内における主ロープ１３の長さＬ１側及び長さＬ２側の中間位置Ｃ１と同じ高さ位置を優先点検高さ位置と判定する。
【００４２】
この場合における最下階から主ロープ１３の中間位置Ｃ１までの高さは、各階の階高Ｈ１〜Ｈ７の合計から、長さＬ１及び長さＬ２の中間位置Ｃ１に相当する距離である昇降路２の天井からの距離（Ｌ１÷２又はＬ２÷２）を差し引くことで算出することができる。
【００４３】
かくして端末装置１５は、上述のように、乗りかご３が停止している停止階と各階の階高情報から優先点検高さ位置を算出し、算出した優先点検高さ位置をエレベーター用点検装置２１に通知する。また端末装置１５は、このようにして算出した優先点検高さ位置と、制御盤１２から取得した乗りかご３の現在の停止階とに基づいてエレベーター用点検装置２１を昇降路２内に投入すべき階を判定する。そして端末装置１５は、この結果をディスプレイ２０（図３）に表示する。
【００４４】
一方、エレベーター用点検装置２１は、保守員によって昇降路２内に投入される。この際、保守員は、端末装置１５に表示された、エレベーター用点検装置２１を投入すべき階を確認し、その階の乗り場ドア１０を開けてエレベーター用点検装置２１を昇降路２内に投入する。また保守員は、この後、端末装置１５を操作してエレベーター用点検装置２１を上昇させる。
【００４５】
このときエレベーター用点検装置２１のコントローラ２６は、気圧計２４の計測結果に基づいて高さ方向の移動距離を逐次算出し、算出結果に基づいて、エレベーター用点検装置２１を昇降路２内の優先点検高さ位置にまで上昇させる。そしてコントローラ２６は、この後、昇降路２内の優先点検高さ位置における主ロープ１３の状態や昇降路２内に設置された機器の状態を撮像装置２３により撮像させ、かくして得られた映像データを通信装置２５を介して端末装置１５に無線送信する。
【００４６】
（２）優先点検高さ位置決定処理
図６は、地震による強い揺れが発生し、乗りかご３の昇降運転が停止された際に、端末装置１５のＣＰＵ１６がプログラム１８に基づいて実行する優先点検高さ位置決定処理の処理手順を示す。ＣＰＵ１６は、この図６に示す手順に従って、優先点検高さ位置を決定する。
【００４７】
実際上、地震による強い揺れが発生し、乗りかご３の昇降運転が停止された後、保守員によって端末装置１５が制御盤１２に接続されると、ＣＰＵ１６は、制御盤１２から乗りかご３の現在の停止階の情報（以下、これをかご位置情報と呼ぶ）と、各階の階高情報とを取得する（ＳＰ１１）。
【００４８】
続いて、ＣＰＵ１６は、ステップＳＰ１１で取得したかご位置情報及び各階の階高情報に基づいて巻上機１４から乗りかご３までの長さＬ１を算出すると共に（ＳＰ１２）、巻上機１４から釣合錘８までの長さＬ２を算出する（ＳＰ１３）。
【００４９】
次いで、ＣＰＵ１６は、ステップＳＰ１２で算出した長さＬ１と、ステップＳＰ１３で算出した長さＬ２とに基づいて優先点検高さ位置を決定する（ＳＰ１４）。具体的に、ＣＰＵ１６は、長さＬ１が長さＬ２よりも長い場合には、昇降路２内における巻上機１４から乗りかご３までの主ロープ１３の中間位置（図５（Ａ）の中間位置Ａ１）と同じ高さ位置を優先点検高さ位置に決定する。
【００５０】
また、ＣＰＵ１６は、長さＬ２が長さＬ１よりも長い場合には、昇降路２内における巻上機１４から釣合錘８までの主ロープ１３の中間位置（図５（Ｂ）の中間位置Ｂ１）と同じ高さ位置を優先点検高さ位置に決定し、長さＬ１と長さＬ２がほぼ同じ長さの場合には、昇降路２内における昇降路２内における巻上機１４から乗りかご３までの主ロープ１３の中間位置及び巻上機１４から釣合錘８までの主ロープ１３の中間位置（図５（Ｃ）の中間位置Ｃ１）と同じ高さ位置を優先点検高さ位置に決定する。
【００５１】
この後、ＣＰＵ１６は、上述のようにして決定した優先点検高さ位置を優先点検高さ位置情報としてエレベーター用点検装置２１に送信する（ＳＰ１５）。
【００５２】
続いて、ＣＰＵ１６は、保守員がエレベーター用点検装置２１を昇降路２内に投入すべき階を、ステップＳＰ１４で決定した優先点検高さ位置に基づいて判定し（ＳＰ１６）、その判定結果を端末装置１５のディスプレイ２０に表示させる（ＳＰ１７）。
【００５３】
具体的に、ＣＰＵ１６は、長さＬ１よりも長さＬ２が大きい場合や、長さＬ１と長さＬ２がほぼ同じ場合には、乗りかご３の停止位置の１階床上の階を、エレベーター用点検装置２１を昇降路２内に投入すべき階と判定する。またＣＰＵ１６は、長さＬ１よりも長さＬ２が大きいと判定した場合には、最下階を、エレベーター用点検装置２１を昇降路２内に投入すべき階と判定する。かくして保守員は、端末装置１５に表示された階の乗り場４の乗り場ドア１０を開けて昇降路２内にエレベーター用点検装置２１を投入する。
【００５４】
そしてＣＰＵ１６は、この後、この優先点検高さ位置決定処理を終了する。
【００５５】
（３）昇降路内撮像処理
図７は、端末装置１５から優先点検高さ位置が通知された際に、エレベーター用点検装置２１のコントローラ２６により実行される昇降路内撮像処理の処理手順を示す。エレベーター用点検装置２１は、この図７に示す手順に従って、昇降路２内を撮像する。
【００５６】
実際上、エレベーター用点検装置２１のコントローラ２６は、端末装置１５から優先点検高さ位置が通知されると、まず、通知された優先点検高さ位置を認識する（ＳＰ２１）。
【００５７】
続いて、コントローラ２６は、この後に保守員により行われる端末装置１５に対する所定操作に応じて、上述の飛行用モータを駆動させることによりエレベーター用点検装置２１の上昇を開始させる（ＳＰ２２）。またコントローラ２６は、撮像装置２３に撮像開始を指示し（ＳＰ２３）、この結果として撮像装置２３から出力される撮像映像の映像データを端末装置１５に送信するよう通信装置２５に指示を与える（ＳＰ２４）。
【００５８】
これにより、エレベーター用点検装置２１が昇降路２内を上昇しながら撮像した映像の映像データが端末装置１５に送信され、この映像データに基づく撮像装置２３の撮像映像が端末装置１５にリアルタイムで表示される。
【００５９】
この後、コントローラ２６は、気圧計２４の計測結果に基づいて、エレベーター用点検装置２１が優先点検高さ位置を中心とする所定の高さ範囲（優先点検高さ位置の上下１ｍ以内の高さであり、以下、これを優先点検高さ範囲と呼ぶ）の下限に到達するのを待ち受ける（ＳＰ２５）。
【００６０】
そしてコントローラ２６は、やがてエレベーター用点検装置２１が上述の優先点検高さ範囲の下限に到達することによりステップＳＰ２５で肯定結果を得ると、上述の飛行用モータを制御してエレベーター用点検装置２１の上昇速度を低減（例えば半分に）させると共に、撮像映像の解像度を上げる（例えば２倍に上げる）よう撮像装置２３を制御する（ＳＰ２６）。
【００６１】
またコントローラ２６は、この後、気圧計２４の計測結果に基づいて、エレベーター用点検装置２１が優先点検高さ範囲の上限を超えるのを待ち受ける（ＳＰ２７）。この結果、エレベーター用点検装置２１がかかる優先点検高さ範囲内を飛行している間は、それ以外の半分の上昇速度かつ２倍の解像度で昇降路２内の撮影が行われることになる。
【００６２】
そして、コントローラ２６は、やがてエレベーター用点検装置２１が優先点検高さ範囲の上限を超える高さにまで上昇するステップＳＰ２７で肯定結果を得ると、上述の飛行用モータを制御することによりエレベーター用点検装置２１のさらなる上昇を停止させる。
【００６３】
続いて、コントローラ２６は、保守員から上昇、下降又は回転等の何等かの動作を実行すべき指示が与えられたか否かを判定する（ＳＰ２８）。そしてコントローラ２６は、この判定で否定結果を得ると、ステップＳＰ３０に進む。これに対して、コントローラ２６は、ステップＳＰ２８の判定で肯定結果を得ると、保守員から与えられた指示に従い、要求された動作等を実行するよう飛行用モータ等を制御する（ＳＰ２９）。
【００６４】
続いてコントローラ２６は、保守員から撮像動作の終了指示が与えられたか否かを判定する（ＳＰ３０）。そしてコントローラ２６は、この判定で否定結果を得ると、エレベーター用点検装置２１の位置が優先点検高さ位置を超えてから一定時間が経過したか否かを判定する（ＳＰ３１）。
【００６５】
コントローラ２６は、この判定で否定結果を得ると、ステップＳＰ２８に戻り、この後、ステップＳＰ３０又はステップＳＰ３１で肯定結果を得るまでステップＳＰ２８〜ステップＳＰ３１の処理を繰り返す。
【００６６】
そしてコントローラ２６は、やがて保守員から撮像動作の終了指示が与えられることによりステップＳＰ３０の判定で肯定結果を得、又は、エレベーター用点検装置２１の位置が優先点検高さ位置を超えてから一定時間が経過することによりステップＳＰ３１の判定で肯定結果を得ると、上述の飛行用モータを駆動させることによりエレベーター用点検装置２１を昇降路２内における最初の投入位置にまで下降させ、この後、この昇降路内撮像処理を終了する。
【００６７】
（４）本実施の形態の効果
以上のように、本実施の形態によるエレベーター用点検システム３０では、端末装置１５が、昇降路２内の優先点検高さ位置を算出してエレベーター用点検装置２１に通知する。またエレベーター用点検装置２１は、通知された優先点検高さ位置にまで上昇飛行し、その優先点検高さ位置における昇降路２内の状況を撮影して端末装置１５に送信する。そして端末装置１５は、エレベーター用点検装置２１から送信されてきた映像データに基づく映像を表示する。
【００６８】
従って、本エレベーター用点検システム３０によれば、保守員がエレベーター１の昇降路２内の最も優先的に点検すべき高さ位置の状況を優先的に把握することができるため、エレベーター１の点検を効率的に行うことができ、かくしてエレベーター１の復旧作業を迅速化させることができる。
【００６９】
また本エレベーター用点検システム３０によれば、昇降路２内の機器に異常が発見された場合、地震による被害が大きいと判定し復旧を後回しにして、隣接するエレベーター１の復旧に取り掛かる、又は、発見した直後に応援を呼ぶ等の判定を迅速に行うことが可能となる。
【００７０】
（５）他の実施の形態
なお上述の実施の形態においては、エレベーター用点検装置２１が保守員によって持ち込まれる場合について述べたが、本発明はこれに限らず、エレベーター用点検装置２１を、昇降路２の中におけるピット５の床及び又は乗りかご３のかご上に常設するようにしてもよい。
【００７１】
また上述の実施の形態においては、昇降路２の優先点検高さ位置よりも下側からエレベーター用点検装置２１を昇降路２内に投入するようにした場合について述べたが、本発明はこれに限らず、昇降路２の優先点検高さ位置よりも上側からエレベーター用点検装置２１を昇降路２内に投入するようにしてもよい。
【００７２】
さらに上述の実施の形態においては、端末装置１５が制御盤１２から各階の階高情報を取得する場合について述べたが、本発明はこれに限らず、端末装置１５が各階の階高情報を予め保持していてもよいし、端末装置１５が制御盤１２から製造番号のみを取得して、保持するデータベースを参照することで各階の階高情報を取得してもよいし、端末装置１５が製造番号を基に管理センタに問い合わせることで各階の階高情報を取得するようにしてもよい。
【００７３】
さらに上述の実施の形態においては、端末装置１５において優先点検高さ位置を算出する場合について述べたが、本発明はこれに限らず、エレベーター用点検装置２１が優先高さ点検位置を算出する演算部を備えてもよい。またエレベーター用点検装置２１は、通信装置２５及びコントローラ２６を備えていればよく、カメラを備えたドローンが撮像した映像を取得して、当該映像を端末装置１５へ表示するために送信するような中継装置でもよい。
【符号の説明】
【００７４】
１……エレベーター、２……昇降路、３……乗りかご、４……乗り場、５……ピット、６……機械室、７……かご用ガイドレール、８……釣合錘、９……釣合錘用ガイドレール、１０……乗り場ドア、１１……かごドア、１２……制御盤、１３……主ロープ、１４……巻上機、１５……端末装置、１６……ＣＰＵ、１７……メモリ、１８……プログラム、１９，２５……通信装置、２０……ディスプレイ、２１……エレベーター用点検装置、２２……プロペラ、２３……撮像装置、２４……気圧計、２６……コントローラ、３０……エレベーター用点検システム。
【図１】
2018144981.tif 000003
【図２】
2018144981.tif 000004
【図３】
2018144981.tif 000005
【図４】
2018144981.tif 000006
【図５】
2018144981.tif 000007
【図６】
2018144981.tif 000008
【図７】
2018144981.tif 000009